(57)【要約】【課題】道糸を切断してつなぎ直す作業を必要とせずに、単にテンビンの腕杆に横嵌め、外し状に操作するだけで、テンビンに対する錘の交換を簡便かつ短時間にすることができる釣り用テンビン装置を提供する。【解決手段】一端部を道糸２２側に連結される直線剛体状に形成された第１腕杆１２と、一端部を第１腕杆１２の他端部に連結しつつ他端部をハリス（３０）側と連結される直線剛体状に形成された第２腕杆１４と、第１腕杆１２と道糸２２との連結を切ることなく、第１腕杆１２に対して着脱交換可能でしかも装着状態で固定される錘具１６と、第１腕杆１２に対して錘具１６を着脱交換可能に装着させる着脱交換部１８と、錘具１６を第１腕杆１２に対して装着した状態でがたつきなく固定状態に保持させる固定保持部２０と、を備えたことを特徴とする釣り用テンビン装置１０から構成される。【選択図】図１
0003129930.tif 000002
【実用新案登録請求の範囲】
【請求項１】
一端部を道糸側に連結される直線剛体線条からなる第１腕杆と、
一端部を第１腕杆の他端部に連結しつつ他端部をハリス側と連結される直線剛体線条からなる第２腕杆と、
第１腕杆と道糸との連結を切ることなく、第１腕杆に対して着脱交換可能でしかも装着状態で第１腕杆に対してがたつきなく一体的に固定される錘具と、
第１腕杆に対して錘具を着脱交換可能に装着させる着脱交換部と、
錘具を第１腕杆に対して装着した状態でがたつきなく固定状態に保持させる固定保持部と、を備えたことを特徴とする釣り用テンビン装置。
【請求項２】
着脱交換部及び固定保持部は、錘具及び／または第１腕杆にそれぞれ一体的に設けられている請求項１記載の釣り用テンビン装置。
【請求項３】
着脱交換部は、錘具に設けられ第１腕杆に対する着脱交換可能な装着を第１腕杆の側方からの横嵌め、横外しにより行う連続溝孔を含む請求項１または２記載の釣り用テンビン装置。
【請求項４】
連続溝孔は直線状溝孔からなる請求項３記載の釣り用テンビン装置。
【請求項５】
固定保持部は、連続溝孔に連通するように錘具に設けられた縦貫通ねじ孔と、
縦貫通ねじ孔に螺合するように第１腕杆に固定されたねじ体と、からなる請求項３又は４記載の釣り用テンビン装置。
【請求項６】
ねじ体は、錘具の縦貫通ねじ孔の長さよりも短い長さのねじ長さを有し、錘具の第１腕杆の側方からの横嵌め装着状態から降下させて少しの螺合連結により錘具が第１腕杆に固定するようにしていることを特徴とする請求項５記載の釣り用テンビン装置。
【請求項７】
第１腕杆と第２腕杆とは揺動変位接続部において、直線状に配置される状態とＬ字状に配置される状態とに自在に揺動変位可能に接続されており、
揺動変位接続部は、第１腕杆側に対する第２腕杆の水中Ｌ字状の変位状態から、錘具による水底側への引き降ろし力が加わらない状態で、自然に第２腕杆が第１腕杆と直線状に変位させる直線変位機構を有することを特徴とする請求項１ないし６のいずれかに記載の釣り用テンビン装置。
【請求項８】
直線変位機構は、第１腕杆に連結され両端を移動規制部で規制されて横方向に配置された横軸杆と、
第２腕杆側に取り付けられ横軸杆に遊貫状に孔貫通される円環部と、を含むことを特徴とする請求項７記載の釣り用テンビン装置。
【請求項９】
横軸杆は、ねじ体に連結された短管の下端側において、短管内壁を直線状に結ぶように取り付けられていることを特徴とする請求項８記載の釣り用テンビン装置。
【考案の詳細な説明】
【技術分野】
【０００１】
本考案は、錘を簡便に交換できる釣り用テンビン装置に関する。
【背景技術】
【０００２】
釣り仕掛けを投てきや水中の所定の位置に沈める際に、ハリスが道糸と絡むのを防止するために金属線条等をＬ字状に曲折形成したテンビンが用いられる場合がある。テンビンには一般に錘が連結されるが、錘は仕掛けを目標地点へ安定して投てきさせたり、仕掛けを水中の所定の深さまで沈ませる速さを調整させたりする等、釣果を大きく左右する重要な要素の１つであり、例えば、対象魚や風の強さ、水の流れの速さ、水の深さ等の種々の条件に応じて錘の重量を変更する必要がある。例えば、特許文献１には重りを取り替るようにした天秤が提案されている。特許文献１の天秤は、重りを固定した金属管内に金属線が通されており、その金属線の両端にリング孔が設けられて、一方を道糸に他方をハリスに連結されている。さらに、金属線の道糸との連結側のリング孔は金属管の内径より小さく設定されて重りを固定した金属管が道糸側から交換できるとともに、ハリスとの連結側のリング孔は金属管の内径より大きく設けられて金属管が釣り針を覆わないようになっているものであった。
【特許文献１】特開２００４−１２９６３１号公報
【考案の開示】
【考案が解決しようとする課題】
【０００３】
しかしながら、特許文献１の天秤では重さの異なる種々の重りを固定した金属管を用意して、必要に応じてそれらを取替えることが可能ではあるが、交換する際には、金属線のリング孔に連結されている道糸を切断して、重りを固定した金属管を金属線に沿って移動させて道糸側の金属線端部から取り外し、別の重りを固定した金属管を金属線に通して、再び金属線のリング孔に道糸を連結しなおさなければならなかった。すなわち、重さの異なる重りに交換するたびに、道糸の切断、連結を行う必要があり、作業が煩雑で、時間もかかるものであった。さらに、テンビンはＬ字状に固定的に曲折形成されて横に長く腕が伸びているので、魚が仕掛けの餌に食いついても竿先に当たりが直接的には伝わりにくく、特に当たりが小さい場合には魚を逃してしまうこともあり釣果に悪影響を及ぼすおそれがあった。
【０００４】
本考案は、上記従来の課題に鑑みてなされたものであり、その一つの目的は、道糸を切断してつなぎ直す作業を必要とせずに、単にテンビンの腕杆に横嵌め、外し状に操作するだけで、テンビンに対する錘の交換を簡便かつ短時間にすることができる釣り用テンビン装置を提供することにある。さらに、他の目的は、小さなあたりでも確実に伝えることができる釣り用テンビン装置を提供することにある。
【課題を解決するための手段】
【０００５】
上記課題を解決するために本考案は、一端部を道糸２２側に連結される直線剛体線条からなる第１腕杆１２と、一端部を第１腕杆１２の他端部に連結しつつ他端部をハリス（３０）側と連結される直線剛体線条からなる第２腕杆１４と、第１腕杆１２と道糸２２との連結を切ることなく、第１腕杆１２に対して着脱交換可能でしかも装着状態で第１腕杆に対してがたつきなく一体的に固定される錘具１６と、第１腕杆１２に対して錘具１６を着脱交換可能に装着させる着脱交換部１８と、錘具１６を第１腕杆１２に対して装着した状態でがたつきなく固定状態に保持させる固定保持部２０と、を備えたことを特徴とする釣り用テンビン装置１０から構成される。第１腕杆１２、第２腕杆１４の長さはそれぞれ任意に設定されるが、第２腕杆１４は少なくとも仕掛け側のハリス等が道糸側に絡まらないような適宜の長さで設定される。
【０００６】
また、着脱交換部１８及び固定保持部２０は、錘具１６及び／または第１腕杆１２にそれぞれ一体的に設けられていることとしてもよい。着脱交換部１８、固定保持部２０は、錘具１６や第１腕杆１２に直接的に一体形成されていても良く、それらに他の部材等を一体的に組み付けて構成してもよい。
【０００７】
また、着脱交換部１８は、錘具１６に設けられ第１腕杆１２に対する着脱交換可能な装着を第１腕杆１２の側方からの横嵌め、横外しにより行う連続溝孔４８を含むこととしてもよい。
【０００８】
また、連続溝孔４８は直線状溝孔からなることとしてもよい。
【０００９】
また、固定保持部２０は、連続溝孔４８に連通するように錘具１６に設けられた縦貫通ねじ孔５０と、縦貫通ねじ孔５０に螺合するように第１腕杆１２に固定されたねじ体５２と、からなることとしてもよい。
【００１０】
また、ねじ体５２は、錘具１６の縦貫通ねじ孔５０の長さよりも短い長さのねじ長さを有し、錘具１６の第１腕杆１２の側方からの横嵌め装着状態から降下させて少しの螺合連結により錘具１６が第１腕杆１２に固定するようにしていることとしてもよい。
【００１１】
また、第１腕杆１２と第２腕杆１４とは揺動変位接続部３４において、直線状に配置される状態とＬ字状に配置される状態とに自在に揺動変位可能に接続されており、揺動変位接続部３４は、第１腕杆１２側に対する第２腕杆１４の水中Ｌ字状の変位状態から、錘具１６による水底側への引き降ろし力が加わらない状態で、自然に第２腕杆１４が第１腕杆１２と直線状に変位させる直線変位機構４６を有することとしてもよい。
【００１２】
また、直線変位機構４６は、第１腕杆１２に連結され両端を移動規制部４５で規制されて横方向に配置された横軸杆４４と、第２腕杆１４側に取り付けられ横軸杆４４に遊貫状に孔貫通される円環部３６と、を含むこととしてもよい。
【００１３】
また、横軸杆４４は、ねじ体５２に連結された短管４２の下端側において、短管内壁４２ａを直線状に結ぶように取り付けられていることとしてもよい。
【考案の効果】
【００１４】
本考案の釣り用テンビン装置によれば、一端部を道糸側に連結される直線剛体線条からなる第１腕杆と、一端部を第１腕杆の他端部に連結しつつ他端部をハリス側と連結される直線剛体線条からなる第２腕杆と、第１腕杆と道糸との連結を切ることなく、第１腕杆に対して着脱交換可能でしかも装着状態で第１腕杆に対してがたつきなく一体的に固定される錘具と、第１腕杆に対して錘具を着脱交換可能に装着させる着脱交換部と、錘具を第１腕杆に対して装着した状態でがたつきなく固定状態に保持させる固定保持部と、を備えたことから、種々の釣り条件等に応じて錘具を交換する際に、第１腕杆に対して錘具を単に横嵌め、横外し状の操作を行うだけで、道糸の切断及びつなぎ直しといった煩雑な作業を一切必要とせずに、簡単な操作で短時間で錘の交換作業を行える。それにより、釣果の向上を期待できる。さらに、固定保持部を介して錘具を第１腕杆に対してがたつきなく一体的に固定させることにより、装着された錘具は安定的に第１腕杆に装着されることとなり、仕掛けの投てき時や着水時、又は仕掛けが水中を沈む際にも錘具が不意に離脱したり、第１、第２腕杆がぶれたりすることなく安定した装着状態を保持して、糸の絡まりを防止するテンビン装置の機能を良好に実効させる。
【００１５】
また、着脱交換部及び固定保持部は、錘具及び／または第１腕杆にそれぞれ一体的に設けられている構成とすることにより、部品点数が少ない簡単な構成で着脱交換部及び固定保持部を実現し、操作性が良く、持ち運びにも便利である。
【００１６】
また、着脱交換部は、錘具に設けられ第１腕杆に対する着脱交換可能な装着を第１腕杆の側方からの横嵌め、横外しにより行う連続溝孔を含むことから、例えば、所要形状の錘具に溝孔を形成するといった簡単かつ単純な構成で着脱交換部を具現でき、安価に製造できる。
【００１７】
また、連続溝孔は直線状溝孔からなる構成とすることにより、直線剛体状に形成される第１腕杆に対する錘具の横嵌め、横外し操作をスピーディに行うことができる連続溝孔の構成を具体的に実現できる。
【００１８】
また、固定保持部は、連続溝孔に連通するように錘具に設けられた縦貫通ねじ孔と、縦貫通ねじ孔に螺合するように第１腕杆に固定されたねじ体と、からなることより、簡単な構成で確実な固定状態の保持構成と、着脱交換可能な構成と、を両立して構成でき、低コストで製造できるとともに、錘具の着脱交換操作の際にも道具を必要とせずに簡単な操作で行なうことができる。
【００１９】
また、ねじ体は、錘具の縦貫通ねじ孔の長さよりも短い長さのねじ長さを有し、錘具の第１腕杆の側方からの横嵌め装着状態から降下させて少しの螺合連結により錘具が第１腕杆に固定するようにしていることから、確実な固定状態の保持を維持しつつ、錘具の固定状態と着脱交換可能な状態とを円滑かつスピーディに変換することができ、使い勝手が良い。
【００２０】
また、第１腕杆と第２腕杆とは揺動変位接続部において、直線状に配置される状態とＬ字状に配置される状態とに自在に揺動変位可能に接続されており、揺動変位接続部は、第１腕杆側に対する第２腕杆の水中Ｌ字状の変位状態から、錘具による水底側への引き降ろし力が加わらない状態で、自然に第２腕杆が第１腕杆と直線状に変位させる直線変位機構を有することから、例えば、仕掛けを投てきする際や仕掛けが錘具の重量により水中を沈む際には、重い錘具により、自然に第１腕杆と第２腕杆とが略Ｌ字状の配置状態となり、道糸とハリス側とは、互いに離隔した位置で略平行状に配置されて、糸が絡むのを良好に防止するテンビン装置として良好に機能するとともに、仕掛けを所定の水深位置に設定して魚を釣る際には、直線変位機構により自然に第２腕杆が横軸杆回りに揺動して、該第２腕杆が第１腕杆と直線状に変位されるので、Ｌ字状の配置状態に比べて魚の当たりが直接的に竿先に伝達されやすく、小さな当たりでも確実に感じとって、釣果を上げることができる。また、直線状に配置されるので第２腕杆の根掛かりを防ぐことができる。
【００２１】
また、直線変位機構は、第１腕杆に連結され両端を移動規制部で規制されて横方向に配置された横軸杆と、第２腕杆側に取り付けられ横軸杆に遊貫状に孔貫通される円環部と、を含むことから、水中での自然な第２腕杆の第１腕杆に対する直線状の変位をより確実に行わせる。また、簡単な構造で低コストで製造できる。
【００２２】
また、横軸杆は、ねじ体に連結された短管の下端側において、短管内壁を直線状に結ぶように取り付けられていることから、第１腕杆への横軸杆の固定を簡単な構成で具体的に実現できる。さらに、第２腕杆が略Ｌ字状の配置状態で短管に当接させるように設けることで、第２腕杆が第１腕杆に対して鋭角となる配置状態に揺動変位するのを規制することができ、糸の絡まり防止機能を維持する。
【考案を実施するための最良の形態】
【００２３】
以下、添付図面を参照しつつ本考案の釣り用テンビン装置の実施の形態について説明する。本考案の釣り用テンビン装置は、例えば、仕掛けを投てきや水中に沈める際に釣り糸が絡まるのを防止できるテンビン装置であり、釣り条件に対応して重量の異なる種々の錘具を簡便に交換できるものである。図１ないし図６は、本考案の釣り用テンビン装置の一実施形態を示している。本実施形態において、釣り用テンビン装置１０は、図１、図２、図３に示すように、第１腕杆１２と、第２腕杆１４と、錘具１６と、着脱交換部１８と、固定保持部２０と、を備えている。
【００２４】
図１、図２に示すように、第１腕杆１２は、直線剛体線条からなる簡単には曲がらないような金属製杆部材で形成されており、一端側を道糸２２側に連結され、他端側を第２腕杆１４と連結されている。第１腕杆１２の道糸２２側と連結される一端部には金属製杆部材を円環状に曲成して形成した円環部２４が形成されており、例えば、ヨリモドシ２６等を介して道糸２２と連結されている。なお、本実施形態では、道糸２２側には餌を収容する餌籠２８が連結されているが、釣り対象魚に必要に応じて餌籠２８は用いればよく、第１腕杆１２に道糸２２を連結してもよい。第１腕杆２２の他端側（下端側）であって第２腕杆１４との連結部分近傍には、後述のように着脱交換部１８及び固定保持部２０が設けられ、さらにねじ体５２が固定されており、このねじ体５２を介して錘具１６が着脱交換可能に装着されている。
【００２５】
本実施形態では、第２腕杆１４は、第１腕杆１２と同じように直線剛体線条からなる簡単には曲がらないような金属製杆部材から形成されており、一端側を第１腕杆１２の他端部に連結しつつ他端側をハリス３０（釣り針を備えた仕掛けの釣り糸）側に連結される。本実施形態では、第２腕杆１４は、図２、図３に示すように、第１腕杆１２の他端側に揺動変位接続部３４を介して接続されており、直線状に配置される状態と、略Ｌ字状に配置される状態と、に自在に揺動変位可能となっている。第２腕杆１４の両端部は、金属製杆部材を円環状に曲成して形成した円環部３６、３８が形成されている。一端部側の円環部３６は揺動変位接続部３４の一部を構成しており、他端側の円環部３８は例えば、ヨリモドシ４０等を介してハリス３０側に接続される。本実施形態では、第２腕杆１４の他端側円環部にはモトス３２を介して複数の釣り針が接続されたハリス３０（枝ハリス）が接続された態様となっている。なお、対象魚等の条件に応じて１本又は任意の複数の釣り針が接続された仕掛けとしてもよい。
【００２６】
本実施形態では、揺動変位接続部３４は、図２、図４、図５に示すように、第１腕杆１２に固定されているねじ体５２に連結された短管４２に取り付けられた横軸杆４４と、第２腕杆１４の一端部側に形成された円環部３６と、を含む。短管４２は、例えば、ねじ体５２の下方側に一体的に固定された金属製の中空円管部材からなり下方側を開口させている。その短管４２内部の下端側において、図５にも示すように、例えば、断面円形の丸杆部材からなる横軸杆４４が短管内壁４２ａをその直径方向に直線状に結ぶように横方向に配置されて両端を内壁４２ａに固定されている。横軸杆４４の両端は、短管内壁４２ａを移動規制部４５として第２腕杆１４の円環部３６の貫通方向の移動が規制されている。第２腕杆１４の円環部３６は、内孔の大きさが横軸杆４４の径よりも大きく形成されて該横軸杆４４を遊貫状に孔貫通されている。これにより、図３にも示すように、第１腕杆１２側に対する第２腕杆１４の水中Ｌ字状の変位状態から、錘具１６による水底側への引き降ろし力が加わらない状態で、第２腕杆１４側に作用する重力により自然に第２腕杆１４が横軸杆回りに揺動し、第２腕杆１４が第１腕杆１２と直線状に変位させる直線変位機構４６を構成している。すなわち、直線変位機構４６は、第１腕杆１２に連結された横軸杆４４と、第２腕杆側に取り付けられ円環部３６と、を含む。基本的には、揺動変位接続部３４は、第１腕杆１２側にも円環部を設けて、第１、第２腕杆の円環部同士によるリング連結でもよい。しかしながら、この場合、円環部同士の連結のために、水中で第１、第２腕杆が自動的に直線状に配置されない場合があり、高度な操作技術が必要となる。本実施形態では、上述のように横軸杆と円環部とを含む直線変位機構を有する構成とすることで、高度な操作技術を必要とせずに、水中で自動的かつ確実に第１、第２腕杆が直線状に変位させることできる。本実施形態では、第２腕杆１４は、第１腕杆１２に対して略Ｌ字状となる配置状態で、短管４２の下端に当接して第１腕杆と第２腕杆とのなす角が鋭角とならないように揺動変位を規制している。これにより、道糸２２とハリス３０との離隔状態を保持して糸が絡まるのを防止する。
【００２７】
錘具１６は、第１腕杆１２と道糸２２との連結を切ることなく、第１腕杆１２に対して着脱交換可能でしかも装着状態で第１腕杆に対してがたつきなく一体的に固定される。本実施形態では、錘具１６は、着脱交換部１８を介して第１腕杆１２に対して着脱交換可能に装着させられるとともに、固定保持部２０を介して第１腕杆１２に対して装着した状態でがたつきなく固定状態に保持される。図１、図２に示すように、錘具１６は、第１腕杆１２の第２腕杆１４との接続部側となる他端側に装着される。すなわち、第１腕杆１２と第２腕杆１４とが略Ｌ字状に配置される状態となる際のＬ字隅部近傍に配置されるように、第１腕杆１２の下端部側に装着される。図６、図７に示すように、錘具１６は、例えば、重量のある鉛等の金属塊からなり、横断面略Ｃ字状の柱状体となっている。錘具１６には、少なくとも第１腕杆１２の杆径よりも大きな小幅で、側方外部側から中心部に向かって直線状に連続し、かつ錘具１６の側方の縦方向に沿って直線状に形成された直線状溝孔からなる連続溝孔４８が形成されている。この連続溝孔４８が着脱交換部１８を構成しており、錘具１６を第１腕杆１２に対する側方からの横嵌め、横外し操作により、着脱交換可能に装着させることができる。これにより、煩雑な道糸２４と第１腕杆１２との切断及び再度の連結作業を一切不要として、簡便かつ円滑に錘具の交換を行うことができる。さらに、図８に示すように、錘具１６には、中心部に連続溝孔４８に連通しながら縦方向に貫通され、孔内面側にねじ溝が形成された縦貫通ねじ孔５０が設けられている。
【００２８】
本実施形態では、固定保持部２０は、錘具１６に一体的に設けられた縦貫通ねじ孔５０と、第１腕杆１２に一体的に固定されたねじ体５２と、から構成されている。固定保持部２０は、着脱交換部１８による錘具１６の着脱交換構成を維持しつつ、該錘具１６を第１腕杆１２に対して装着した状態ではがたつきなく固定状態に保持する。従って、例えば、仕掛けの投てきの際や水中に沈める際に、錘具１６の第１腕杆１２に対する装着状態を安定的に保持し、目標地点への仕掛けのセッティングに狂いが生じたり、テンビンにブレ等が発生して糸の絡まりが生じたりする等のテンビンとしての機能低下を防止する。本実施形態では、ねじ体５２は、図２に示すように、ねじ山が形成されて縦貫通ねじ孔５０に螺合するように第１腕杆１２と互いの軸心を一致した状態で一体的に固定されている。ねじ体５２は、第１腕杆１２が連結された上方側から錘具１６の縦貫通ねじ孔５０を螺合させるようになっており、錘具１６の第１腕杆１２の側方からの横嵌め装着状態から、その操作に連続して降下させて、該錘具１６を回転させて螺合連結することにより錘具１６が第１腕杆１２に固定する。本実施形態では、ねじ体５２は、錘具１６の縦貫通ねじ孔５０の長さよりも短い長さのねじ長さを有しており、少しの螺合連結により錘具１６が第１腕杆１２に固定される。ねじ体５２のねじ長さは少なくとも錘具１６との螺合連結を保持できる長さを確保する長さであればよく、ねじ長さが短いほど螺合連結、解除操作を短時間で所定位置への装着、離脱を行わせることができ、交換作業時間の短時間化を実現できる。なお、錘具１６の形状は、例えば、球状、多角形柱状、釣鐘状、紡錘状等その他任意形状でよく、その重さも任意でよく、重さを異ならせた錘具を予め複数個用意しておくとよい。その際、縦貫通ねじ孔５０の内径の大きさは一定に形成される。また、本実施形態では、縦貫通ねじ孔５０には全体にねじ溝が設けられているが、上端、下端部側のみにねじ溝を形成し、中間位置にはねじ溝が形成しない態様としてもよい。また、逆に中間位置にのみねじ溝が形成されるように設けても良い。また、例えば、錘具１６の連続溝孔４８は側方から中心に向けて平面視円弧状等に曲成した溝孔で形成してもよい。
【００２９】
図９に示すように、仕掛け全体を投てきする際には、重量の重い錘具１６の部分が先に飛ぶので、自然に第１腕杆１２と第２腕杆１４とは略Ｌ字状の配置状態となり、道糸２２とハリス３０側の糸（モトス）３２とは、互いに離隔した位置で略平行状に配置されて、糸が絡むのを良好に防止する。さらに、仕掛けが水中の所定の深さまで沈む最中も同様に、重量の重い錘具部分が先に沈むので、自然に第１腕杆１２と第２腕杆１４とは略Ｌ字状の配置状態となり、道糸２２とハリス３０側の糸（モトス）３２とは、互いに離隔した位置で略平行状に配置されて、糸が絡むのを良好に防止する。この際、錘具１６は、固定保持部２０を介して固定状態が安定的に保持されるので、投てき、着水の衝撃等により第１腕杆１２から離脱することはないとともに、ブレ等を生じさせて糸が絡まるといった不具合も生じない。そして、仕掛けを所定の水深位置に設定して魚を釣る際には、例えば、錘具１６による水底側への引き降ろし力が加わらない状態となるが、第１腕杆１２側の横軸杆４４と第２腕杆１４側の円環部３６とを含む直線変位機構４６により、第１腕杆１２側に対する第２腕杆１４の水中Ｌ字状の変位状態から、第２腕杆１４側に作用する重力により自然に第２腕杆１４が横軸杆回りに揺動し、該第２腕杆１４が第１腕杆１２と直線状に変位される。このように、所定水深位置に仕掛けをセットした際に、第１、第２腕杆１２，１４が自然に直線状に配置されることにより、Ｌ字に配置された状態のテンビンのように魚の食い込んだ力が横方向へ分散したり腕杆に吸収されたりして竿先へのあたりが低減することがないので、魚の当たりが直接的に竿先に伝達されやすく、小さな当たりでも確実に感じとって、釣果を上げることができる。また、直線状に配置されるので第２腕杆の根掛かりを防ぐことができる。
【００３０】
さらに、例えば、釣り対象魚の変更や風の強さ、潮の流れの速さ等の様々なつりの条件に応じて重さの異なる錘具１６に交換する際には、第１腕杆１２のねじ体５２の短管４２部分を片手で持ちつつ、他方の手で錘具１６を回転して錘具１６のねじ体５２に対する螺合連結を解除し、図６に示すように、外した錘具１６を連続溝孔４８を介して横方に向けて外して第１腕杆１２から離脱させる。交換する他の錘具１６を連続溝孔４８を介して第１腕杆１２の側方から横嵌めし、第１腕杆１２を錘具１６の縦貫通ねじ孔５０内に貫通させる。その状態で錘具１６を下方のねじ体５２の先端位置まで下降させた後、錘具１６を回転してねじ体５２と螺合連結させる。このように、道糸２２を切ることなく、重さの異なる種々の錘具を簡便な操作でしかも短時間で交換することができるので、釣果を上げることができる。
【００３１】
なお、錘具１６、着脱交換部１８、固定保持部２０等の構成は上記実施形態のものに限らず任意の構成でよい。例えば、錘具を二つ割れ状に開閉するように構成し、開いた状態で第１腕杆に対して着脱交換可能とし、閉じた状態で第１腕杆に装着されるようにしてもよい。その際、二つ割れ状の錘具を閉鎖した状態をロックするロック機構を設けても良い。また、錘具１６を複数個に分割、一体化できる構成としてもよい。また、例えば、第１腕杆１２側に１個ないし複数のフック部又は爪部を取り付けて、錘具１６側に該フック部又は爪部を着脱自在に係止する溝又は孔等を設けることとしても良い。また、例えば、第１腕杆と錘具とに設けた凹凸部による嵌合連結でもよい。また、例えば、第１腕杆１２にテーパ状の台錘形状の弾性部材等を取付け、錘具に連続溝孔に連続したテーパ状の孔を設け、それらを嵌合させる構成としてもよい。また、例えば、第１腕杆に一対の挟持部材を取付け、横嵌めした錘具をその一対の挟持部材で上下側から挟持して固定する構成としてもよい。その際、例えば、第１腕杆にねじ山を形成し少なくとも一方の挟持部材にねじ溝を設けて挟持部材を第１腕杆に対して螺進退移動させるようにしてもよい。道糸２２を切ることなく簡単に錘具を第１腕杆に対して横嵌め、横外し状に着脱交換できる構成及び錘具の装着状態でがたつきなく一体的に固定して保持できる構成であれば任意でよい。
【００３２】
以上説明した本考案の釣り用テンビン装置は、上記した実施形態のみの構成に限定されるものではなく、実用新案登録請求の範囲に記載した本考案の本質を逸脱しない範囲において、任意の改変を行ってもよい。
【産業上の利用可能性】
【００３３】
本考案の釣り用テンビン装置は、種々の釣り対象魚用の仕掛けに好適に適用される。
【図面の簡単な説明】
【００３４】
【図１】本考案の実施形態に係る釣り用テンビン装置の正面説明図である。
【図２】図１の釣り用テンビン装置の錘具周辺の要部を縦断面した説明図である。
【図３】図１の釣り用テンビン装置の直線変位機構の作用説明図である。
【図４】図１の釣り用テンビン装置の揺動変位接続部の一部切欠拡大斜視図である。
【図５】図１のＡ−Ａ線断面拡大図である。
【図６】錘具の第１腕杆に対する着脱交換の作用説明図である。
【図７】錘具の平面拡大図である。
【図８】錘具の縦断面拡大図である。
【図９】釣り用テンビン装置の作用説明図である。
【符号の説明】
【００３５】
１０    釣り用テンビン装置
１２    第１腕杆
１４    第２腕杆
１６    錘具
１８    着脱交換部
２０    固定保持部
２２    道糸
３０    ハリス
３４    揺動変位接続部
３６    円環部
４２    短管
４４    横軸杆
４５    移動規制部
４６    直線変位機構
４８    連続溝孔
５０    縦貫通ねじ孔
５２    ねじ体
【図１】
0003129930.tif 000003
【図２】
0003129930.tif 000004
【図３】
0003129930.tif 000005
【図４】
0003129930.tif 000006
【図５】
0003129930.tif 000007
【図６】
0003129930.tif 000008
【図７】
0003129930.tif 000009
【図８】
0003129930.tif 000010
【図９】
0003129930.tif 000011